【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
バッキングシート（１４０；２４０；３４０；４４０；５４０；６４０）からエポキシ樹脂（１３０；２３０；３３０；４３０；５３０；６３０）を除去する方法であって、前記方法は、
ａ）リリース要素（１６０；２６０；３６０；４６０；５６０；６６０）上で前記エポキシ樹脂（１３０；２３０；３３０；４３０；５３０；６３０）から前記バッキングシート（１４０；２４０；３４０；４４０；５４０；６４０）を剥ぎ取るステップ、及び
ｂ）前記リリース要素（１６０；２６０；３６０；４６０；５６０；６６０）に隣接して前記エポキシ樹脂（１３０ａ；２３０ａ；３３０ａ；４３０ａ；５３０ａ；６３０ａ）を回収するステップ、を含み、前記方法は、
前記エポキシ樹脂（１３０；２３０；３３０；４３０；５３０；６３０）の温度が前記エポキシ樹脂（１３０；２３０；３３０；４３０；５３０；６３０）のガラス転移点未満の温度となるように調整するステップをさらに含むこと、及び
ステップａ）は、０°より大きく１８０°未満のピールバック角（１８０−α；１８０−α１；１８０−α２；１８０−α３；１８０−α４）で前記バッキングシート（１４０；２４０；３４０；４４０；５４０；６４０）を剥がすことを含むことを特徴とする、方法。
【請求項２】
前記エポキシ樹脂（１３０；２３０；３３０；４３０；５３０；６３０）の温度を前記エポキシ樹脂（１３０；２３０；３３０；４３０；５３０；６３０）のガラス転移点未満の温度となるように調整する前記ステップは、前記エポキシ樹脂が前記ピールバック角に達する直前に、前記エポキシ樹脂（１３０；２３０；３３０；４３０；５３０；６３０）に冷却ガスを吹き付けて前記エポキシ樹脂を冷却することを含む、請求項１に記載の方法。
【請求項３】
前記エポキシ樹脂（１３０；２３０；３３０；４３０；５３０；６３０）の温度を、前記エポキシ樹脂（１３０；２３０；３３０；４３０；５３０；６３０）のガラス転移点未満の温度となるように調整するステップは、前記エポキシ樹脂（１３０；２３０；３３０；４３０；５３０；６３０）に液化ガスを適用して、前記エポキシ樹脂がピールバック角に達する直前に、前記エポキシ樹脂を冷却することを含む、請求項１に記載の方法。
【請求項４】
ステップｂ）は、回収された前記エポキシ樹脂（１３０ａ；２３０ａ；３３０ａ；４３０ａ；５３０ａ；６３０ａ）を計量するステップをさらに含む、請求項１から３までのいずれか一項に記載の方法。
【請求項５】
ステップａ）は、前記エポキシ樹脂（１３０；２３０；３３０；４３０；５３０；６３０）及びそのバッキングシート（１４０；２４０；３４０；４４０；５４０；６４０）をロールから分配することをさらに含み、前記バッキングシート（１４０；２４０；３４０；４４０；５４０；６４０）は、前記リリース要素（１６０；２６０；３６０；４６０；５６０；６６０）と接触している、請求項１から４までのいずれか一項に記載の方法。
【請求項６】
剥ぎ取り後の前記バッキングシート（１４０；２４０；３４０；４４０；５４０；６４０）を巻き取るステップをさらに含む、請求項５に記載の方法。
【請求項７】
前記エポキシ樹脂（１３０；２３０；３３０；４３０；５３０；６３０）及びそのバッキングシート（１４０；２４０；３４０；４４０；５４０；６４０）をロール（１２０；２２０；３２０；４２０；５２０；６２０）から分配するステップ、及び前記エポキシ樹脂（１３０ａ；２３０ａ；３３０ａ；４３０ａ；５３０ａ；６３０ａ）の除去後に前記バッキングシート（１４０；２４０；３４０；４４０；５４０；６４０）を巻き取るステップのうちの少なくとも１つが、自動化されている、請求項６に記載の方法。
【請求項８】
前記バッキングシート（１４０；２４０；３４０；４４０；５４０；６４０）から前記エポキシ樹脂（１３０；２３０；３３０；４３０；５３０；６３０）を除去する間に、真空を適用するステップをさらに含む、請求項１から７までのいずれか一項に記載の方法。
【請求項９】
前記バッキングシート（１４０；２４０；３４０；４４０；５４０；６４０）から残留エポキシ樹脂をこするステップをさらに含む、請求項１から８までのいずれか一項に記載の方法。
【請求項１０】
静電気の蓄積を防止するために、前記リリース要素（１６０；２６０；３６０；４６０；５６０；６６０）を接地させるステップをさらに含む、請求項１から９までのいずれか一項に記載の方法。
【請求項１１】
エポキシ樹脂（１３０；２３０；３３０；４３０；５３０；６３０）をバッキングシート（１４０；２４０；３４０；４４０；５４０；６４０）から除去するための装置（１００；２００）であって、前記装置（１００；２００）は、
ハウジング（１１０；２１０）と、
エポキシ樹脂がコーティングされたバッキングシートのロール（１２０；２２０；３２０；４２０；５２０；６２０）を据え付け可能な分配シャフト（２２５；３２５；４２５；５２５；６２５）と、
バッキングシートのロール（１５０；２５０；３５０；４５０；５５０；６５０）が形成され得る巻取りシャフト（２５５；３５５；４５５；５５５；６５５）と、
回収トレイ（１７０；２７０）と、
を備え、前記装置は、バッキングシート（１４０；２４０；３４０；４４０；５４０；６４０）上で作動して前記エポキシ樹脂（１３０ａ；２３０ａ；３３０ａ；４３０ａ；５３０ａ；６３０ａ）を取り除くためのリリース要素（１６０；２６０；３６０；４６０；５６０；６６０）をさらに備え、前記分配シャフト（２２５；３２５；４２５；５２５；６２５）、前記巻取りシャフト（２５５；３５５；４５５；５５５；６５５）及び前記リリース要素（１６０；２６０；３６０；４６０；５６０；６６０）は、０°より大きく１８０°未満のピールバック角（１８０−α；１８０−α１；１８０−α２；１８０−α３；１８０−α４）を提供するように配置されており、
前記装置は、前記エポキシ樹脂（１３０；２３０；３３０；４３０；５３０；６３０）をそのガラス転移点未満に冷却するための温度制御手段（１９０；２９０）をさらに備えることを特徴とする、装置。
【請求項１２】
前記温度制御手段（１９０；２９０）は、前記ハウジング （１１０；２１０）内の温度を前記エポキシ樹脂（１３０；２３０；３３０；４３０；５３０；６３０）のガラス転移点未満の温度に維持する、請求項１１に記載の装置。
【請求項１３】
前記温度制御手段（１９０；２９０）は、前記エポキシ樹脂（１３０；２３０；３３０；４３０；５３０；６３０）のガラス転移点未満の温度の冷却ガスをさらに含む、請求項１１又は１２に記載の装置。
【請求項１４】
前記温度制御手段（１９０；２９０）は、前記エポキシ樹脂（１３０；２３０；３３０；４３０；５３０；６３０）のガラス転移点未満の温度の液化ガスをさらに含む、請求項１３に記載の装置。
【請求項１５】
前記分配シャフト（２２５；３２５；４２５；５２５；６２５）及び前記巻取りシャフト（２５５；３５５；４５５；５５５；６５５）のうちの少なくとも１つを駆動するためのドライブ機構（１８０，１８５；２８０，２８５）をさらに備える、請求項１１から１４までのいずれか一項に記載の装置。
【請求項１６】
前記分配シャフト（２２５；３２５；４２５；５２５；６２５）及び前記巻取りシャフト（２５５；３５５；４５５；５５５；６５５）は、同一の方向に駆動される、請求項１５に記載の装置。
【請求項１７】
前記分配シャフト（２２５；３２５；４２５；５２５；６２５）及び前記巻取りシャフト（２５５；３５５；４５５；５５５；６５５）は、反対の方向に駆動される、請求項１５に記載の装置。
【請求項１８】
前記ドライブ機構（１８０、１８５；２８０、２８５）が自動化されている、請求項１５から１７までのいずれか一項に記載の装置。
【請求項１９】
前記リリース要素（１６０；２６０；３６０；４６０；５６０；６６０）に隣接して位置する少なくとも１つの除去要素をさらに備える、請求項１５から１８までのいずれか一項に記載の装置。
【請求項２０】
前記ハウジング（１１０；２１０）の内部に真空を適用するための真空ポンプをさらに備える、請求項１１から１９までのいずれか一項に記載の装置。
【請求項２１】
前記回収トレイ（１７０；２７０）の重量を測定するためのはかりをさらに備える、請求項１１から２０までのいずれか一項に記載の装置。